(57)【要約】      （修正有）【課題】ネックレスを用いて指輪を首から吊下げる際に、ネックレスに捻じれを生じさせない吊下げ用装身具を提供する。【解決手段】上面に嵌合筒と逆Ｕ字形の係止具とを配設した下板、および下面に嵌合軸とＵ字形の係止具とを配設した上板からなり、嵌合筒に嵌合軸を挿入することによって下板と上板とを回動可能に嵌合した指輪吊下げ用装身具。嵌合筒の先端にフランジを設けたり、嵌合筒にペンダントヘッド装着具を配設することもできる。【選択図】図１
0003150723.tif 000002
【実用新案登録請求の範囲】
【請求項１】
上面に嵌合筒と逆Ｕ字形の係止具とを配設した下板、および下面に嵌合軸とＵ字形の係止具とを配設した上板からなり、前記嵌合筒に前記嵌合軸を挿入することによって前記下板と前記上板とを回動可能に嵌合することを特徴とする指輪吊下げ用装身具。
【請求項２】
前記嵌合筒の先端にフランジを設けることを特徴とする請求項１に記載の指輪吊下げ用装身具。
【請求項３】
前記嵌合筒にペンダントヘッド装着具を配設することを特徴とする請求項１または２に記載の指輪吊下げ用装身具。
【考案の詳細な説明】
【技術分野】
【０００１】
本考案は、飾紐やチェーン（以下、ネックレスという）を用いて指輪を首から吊下げる際に、ネックレスに捻じれを生じさせないことで、指輪，ネックレスともに破断，紛失の可能性を低減し、それ自体を装身具として使用できる吊下げ用装身具に関するものである。
【背景技術】
【０００２】
近年、アクセサリーとして指輪を指に装着する人が増加している。そして、指輪を傷つける、あるいは汚す可能性のある作業を行なうときや衛生上の理由から、指輪を指から外し、さらに紛失しないようにネックレスを用いて首から吊下げる人が多く見受けられる。
また、金属アレルギーの症状を持つ人は、指輪を指に装着せず、ネックレスを用いて首から衣服の上に吊下げて、アクセサリーとして使用する場合がある。
【０００３】
指輪を首から吊下げる際に、単にネックレスを指輪に通すだけでは、装着した人の違和感や首から吊下げたときに指輪とネックレスが接触する部分に捻じれが生じるのは避けられない。そのため、ネックレスの捻じれた部分に負荷がかかり、変形あるいは破断し易くなる。ネックレスが破断すると、ネックレスのみならず指輪を紛失する惧れが生じる。
そこで、指輪を支持する専用の吊下げ具にネックレスを通すことによって、首から吊下げたときの捻じれを防止する技術が検討されている。
【０００４】
たとえば特許文献１に開示された吊下げ具は、開閉可能に組み合わせた吊下げ具で指輪を支持し、さらに吊下げ具に設けられた挿通環にネックレスを通して首から吊下げるものである。この吊下げ具は蝶番を介して開閉する構造を有するので、製造工程が複雑になるばかりでなく、材料を多く使用することによって吊下げ具の価格が上昇する。しかも、蝶番を使用するので、デザイン性に劣るという欠点がある。
【先行技術文献】
【特許文献】
【０００５】
【特許文献１】実用新案登録第3112757号公報
【考案の概要】
【考案が解決しようとする課題】
【０００６】
本考案は、ネックレスを用いて指輪を首から吊下げる際に、ネックレスに捻じれを生じさせない吊下げ用装身具を提供することを目的とする。
【課題を解決するための手段】
【０００７】
本考案は、上面に嵌合筒と逆Ｕ字形の係止具とを配設した下板、および下面に嵌合軸とＵ字形の係止具とを配設した上板からなり、嵌合筒に嵌合軸を挿入することによって下板と上板とを回動可能に嵌合した指輪吊下げ用装身具である。
本考案の指輪吊下げ用装身具においては、嵌合筒の先端にフランジを設けること、および嵌合筒にペンダントヘッド装着具を配設することが好ましい。
【考案の効果】
【０００８】
本考案によれば、ネックレスに捻じれを生じさせずに、指輪を首から吊下げることができる。しかも本考案の指輪吊下げ用装身具は簡素な構造を有するので、加工費が抑えられ、使用部品数や加工工程が少なく済み、かつデザイン性に優れている。
【図面の簡単な説明】
【０００９】
【図１】本考案の指輪吊下げ用装身具を構成する下板の例を模式的に示す図であり、(a)は側面図、(b)は平面図である。
【図２】本考案の指輪吊下げ用装身具を構成する上板の例を模式的に示す図であり、(a)は側面図、(b)は平面図である。
【図３】本考案の指輪吊下げ用装身具において嵌合筒に嵌合軸を挿入した例を模式的に示す断面図である。
【図４】本考案の指輪吊下げ用装身具に指輪を挟持させた例を示す斜視図である。
【図５】本考案の指輪吊下げ用装身具の他の例を模式的に示す斜視図である。
【考案を実施するための形態】
【００１０】
図１は本考案を構成する下板の例を模式的に示す図であり、(a)は側面図、(b)は平面図である。図２は上板の例を模式的に示す図であり、(a)は側面図、(b)は平面図である。本考案の指輪吊下げ用装身具を使用する際には、必ずしも下板が下側，上板が上側に位置するものではないが、それぞれの部材を区別するために便宜上、図１に示す部材を下板１，図２に示す部材を上板２と記す。
【００１１】
図１に示すように、下板１の上面には嵌合筒３が配設される。嵌合筒３が配設される位置の下板１には、嵌合筒３内部の空洞と同じ大きさの円形孔が設けられ、嵌合筒３と下板１とを貫通した一連の貫通孔となる。また下板１の上面には、係止具５が逆Ｕ字形に配設される。
一方で、図２に示すように、上板２の下面には嵌合軸４が配設され、かつ係止具５がＵ字形に配設される。
【００１２】
これらの下板１と上板２を回動可能に組み合わせて、指輪吊下げ用装身具とする。すなわち図３に示すように、嵌合筒３に嵌合軸４を挿入する。そして嵌合軸４の先端をビレット状に加工して、脱落を防止する。また、下板１と上板２を平行に保持するために、嵌合筒３の先端にフランジ６を設けることが好ましい。
指輪吊下げ用装身具を使用する際には、嵌合軸４を中心にして上板２を回動させ、上板２と下板１が開いた姿勢にする。そして、指輪７を嵌合筒３に掛け置く。その状態を図４に示す。次いで、矢印Ａの方向に上板２を回動させて、上板２と下板１が閉じた姿勢にする。そのとき上板２と下板１のそれぞれに配設された係止具５が互いに干渉して、上板２が下板１を通り越すのを防止する。このようにして指輪７が指輪吊下げ用装身具に挟持される。
【００１３】
次に、上板２と下板１のそれぞれに配設された係止具５で形成された環状孔にネックレスを通す。
そのネックレスを首に掛けることによって、ネックレスに捻じれを生じさせずに、指輪を首から吊下げることができる。しかも上板２と下板１の形状は、図１に示すような矩形に限らず、様々な形状（たとえば円形，楕円形等）にすることが可能であり、デザイン性に優れている。さらに、蝶番を使用せず、嵌合筒３に挿入された嵌合軸４を中心にして回動させる簡素な構成になっているので、低価格で製造できる。
【００１４】
図５は、本考案の指輪吊下げ用装身具の他の例を模式的に示す斜視図である。図５の指輪吊下げ用装身具では、嵌合筒３にペンダントヘッド装着具８を配設する。ペンダントヘッド装着具８は嵌合筒３に固定されているので、上板２と下板１を開いた姿勢にて、ペンダントヘッド装着具８の先端からペンダントヘッド９を掛け置くことができる。次いで、上板２と下板１を閉じた姿勢にすると、ペンダントヘッド装着具８の先端が脱落防止具10によって封鎖されるので、ペンダントヘッド９の脱落を防止できる。
【００１５】
次に、上板２と下板１のそれぞれに配設された係止具５で形成された環状孔にネックレス11を通して、首から吊下げる。このようにして本考案の指輪吊下げ用装身具は、ペンダントとして使用できる。
【実施例】
【００１６】
図１に示すような下板１を作成した。下板１の上面には係止具５を逆Ｕ字形に配設し、かつ嵌合筒３を配設した。嵌合筒３の先端にはフランジ６を設けた。さらに、図２に示すような上板２を作成した。上板２の下面には係止具５をＵ字形に配設し、かつ嵌合軸４を配設した。そして図３に示すように、嵌合筒３に嵌合軸４を挿入し、嵌合軸４の先端をビレット状に加工した。
【００１７】
このようにして製作した指輪吊下げ用装身具の上板２と下板１を、図４に示すように開いた姿勢にして、指輪７を嵌合筒３に掛け置いた。次いで、矢印Ａの方向に上板２を回動させて、上板２と下板１を閉じた姿勢にして、指輪７を指輪吊下げ用装身具に挟持させた。
次に、上板２と下板１のそれぞれに配設された係止具５で形成された環状孔にネックレスを通して、首から吊下げた。
【００１８】
その指輪吊下げ用装身具を60日間継続して使用したが、ネックレスの捻じれは発生せず、ネックレスの変形や破断は認められなかった。
【産業上の利用可能性】
【００１９】
ネックレスに捻じれを生じさせずに、指輪を首から吊下げることができ、使用部品数や加工工程が少なく済み、かつデザイン性に優れているので、産業上格段の効果を奏する。
【符号の説明】
【００２０】
１  下板
２  上板
３  嵌合筒
４  嵌合軸
５  係止具
６  フランジ
７  指輪
８  ペンダントヘッド装着具
９  ペンダントヘッド
10  脱落防止具
11  ネックレス
【図１】
0003150723.tif 000003
【図２】
0003150723.tif 000004
【図３】
0003150723.tif 000005
【図４】
0003150723.tif 000006
【図５】
0003150723.tif 000007